(57)【特許請求の範囲】
【請求項１】
装身具の一方のバンド部材の端部が摺動可能に挿通される中留本体と、
前記一方のバンド部材を前記中留本体の底面側に付勢することによって前記一方のバンド部材を固定するバンド押圧手段とを備え、
前記一方のバンド部材が、複数の駒部材がバンドの長手方向に連結されているとともに、前記駒部材が、バンドの幅方向の中央部に配列された中央駒部材と、前記中央駒部材のバンドの幅方向両側に配列された外側駒部材と、を備えた装身具の中留構造であって、
前記一方のバンド部材を前記中留本体に挿通して摺動させて前記バンド押圧手段を作動させる際に、前記中留本体の底面の突設係合部が前記一方のバンド部材の裏面側における前記外側駒部材の間の間隙又は前記中央駒部材の間の間隙に形成された係止用凹部に係合する位置にあるか否かを確認するために前記外側駒部材を露出する窓開口部を前記中留本体の少なくとも一方の側壁に形成したことを特徴とする装身具の中留構造。
【請求項２】
前記窓開口部と前記突設係合部が隣接した位置に配置されていることを特徴とする請求項１に記載の装身具の中留構造。
【請求項３】
前記突設係合部を前記窓開口部のバンド長手方向の幅の中央位置に配置したことを特徴とする請求項１から２のいずれかに記載の装身具の中留構造。
【請求項４】
前記突設係合部を前記窓開口部のバンド長手方向の幅の開口端位置に配置したことを特徴とする請求項１から２のいずれかに記載の装身具の中留構造。
【請求項５】
前記窓開口部にマーキングしたことを特徴とする請求項１から４のいずれかに記載の装身具の中留構造。
【請求項６】
前記中留本体と他方のバンド部材との間に連結され、前記中留本体に対して折り畳み可能な折り畳み部と、前記折り畳み部が前記中留本体に対して折り畳まれた状態で前記折り畳み部と前記中留本体とを着脱自在に係止するロック機構とを備えることを特徴とする請求項１から５のいずれかに記載の装身具の中留構造。
【請求項７】
前記ロック機構が前記折り畳み部に突設されたフック部と、前記中留本体に摺動可能に取り付けられ前記中留本体の外方より押圧可能に配置されるプッシュボタンと、前記プッシュボタンを外方に付勢する弾性手段と、前記プッシュボタンに設けられる係合部と、
前記折り畳み部を前記中留本体に対して折り畳んだ際に、弾性手段に付勢された前記係合部が前記フック部と係合して前記折り畳み部と前記中留本体とを係止する係止手段とを備えることを特徴とする請求項６に記載の装身具の中留構造。
【請求項８】
前記窓開口部が前記プッシュボタンの位置とずれて形成されていることを特徴とする請求項７に記載の装身具の中留構造。
【発明の詳細な説明】
【技術分野】
【０００１】
本発明は、身体に巻回されて装着される装身具の構造に関し、特に、腕時計、ブレスレッド等の手首に巻回される装身具、ネックレス等の首に巻回される装身具、または、ズボンのベルト等の腰に巻回される装身具に適し、その長さを微調整することができる装身具の中留構造に関する。
【背景技術】
【０００２】
従来、装身具としての時計バンド構造の中留構造におけるバンド長さを調整する機構としては、例えば、特許文献１（特許第３４９０２８４号公報）、特許文献２（特許第３５４７３１１号公報）、に開示されるように、フリーアジャスト機能を有するいわゆる「二つ折れ中留」と呼ばれる中留構造が用いられている。
【０００３】
この中留構造１０は、例えば、特許文献１では、図２６〜図２９に示したように構成されている。
すなわち、図２６は、従来の中留構造１０の斜視図、図２７は、従来の中留構造１０の一部の分解斜視図、図２８は、従来の中留構造１０の部分拡大斜視図、図２９〜図３１は、従来の中留構造１０の開閉動作を説明する断面概略図である。
【０００４】
なお、以下の本明細書の説明において、「表面」、「表側」とは、図２６において、上側、すなわち、装身具を身体に巻着した際に、外方に向く側を示す。逆に、「裏面」、「裏側」とは、装身具を身体に巻着した際に、身体に向く側を言う。
【０００５】
従来の中留構造１０は、図２６に示したように、中留本体２４を備えており、この中留本体２４には、一方のバンド部材２６の長手方向に中留本体２４が摺動できるように、一方のバンド部材２６が取付けられている。
【０００６】
中留本体２４は、図２６、図２７に示したように、断面略コ字形状の摺動枠２８を備えており、この摺動枠２８は、底板３０と、この底板３０の幅方向の両側縁から立設された側壁３２とから構成されている。
【０００７】
また、中留本体２４は、押さえ板３４を備えており、この押さえ板３４の幅方向の両端に形成された支持突起３６が、摺動枠２８の側壁３２に形成された長孔３８内に僅かに遊びを有するように嵌合されることによって、支持突起３６が長孔３８に案内されて、押さえ板３４が上下方向に移動可能に取り付けられている。
【０００８】
この押さえ板３４は、一方のバンド部材２６の上面に軽く接した状態となっており、これにより、摺動枠２８が、一方のバンド部材２６の長手方向に沿って摺動できるようになっている。
【０００９】
また、図２６〜図２８に示したように、押さえ板３４の先端部は、上方へ僅かに屈曲し、これにより、一方のバンド部材２６を、摺動枠２８の底板３０と押さえ板３４の間に挿入し易く構成されている。
【００１０】
一方、他方のバンド部材１２の端部には、ピン１４で回動可能に連結された外側連結板１６を備えている。この外側連結板１６の他端に、ピン１８で外側連結板１６に対して、回動可能に連結された内側連結板２０を備えている。
【００１１】
さらに、内側連結板２０の他端は、ピン２２を介して、中留本体２４に連結されている。そして、この中留本体２４には、一方のバンド部材２６の長手方向に中留本体２４が摺動できるように、一方のバンド部材２６が取付けられている。
【００１２】
さらに、図２６に示したように、外側連結板１６の端部に、ピン４０を介して、外側連結板１６に対して回動可能に連結された係止板４２を備えている。
この係止板４２は、図３０に示したように、外側連結板１６と、内側連結板２０を折り畳んだ状態で、係止板４２に突設された係止爪４４を、ピン４６に係合することによって、バンドの径を小さくして、腕に時計を装着できるようになっている。
【００１３】
すなわち、内側連結板２０、外側連結板１６、および係止板４２が、中留本体２４に折り畳まれる折り畳み部を構成している。
そして、図２７、図２９〜図３０に示したように、内側連結板２０の他端の先端は、下方へＶ字形に屈曲して、押さえ板３４を一方のバンド部材２６へ押圧する押圧突起４８が形成されている。
【００１４】
また、図２６〜図３０に示したように、押圧突起４８の外側には、摺動枠２８の両側壁３２に、ストッパーピン５０が固定されている。
すなわち、図３０に示したように、外側連結板１６と、内側連結板２０を折り畳んだ状態で、ピン２２を中心に内側連結板２０が回動することにより、押圧突起４８が、押さえ板３４に対して略直角になる。
【００１５】
この状態が、押さえ板３４を最も強く押圧する中留固定位置であり、この状態では、押圧突起４８の外壁５４が、ストッパーピン５０に当接して、これ以上、内側連結板２０が回動できないようになっている。
【００１６】
また、図２６〜図３０に示したように、内側連結板２０は、押圧突起４８の近傍で、一方のバンド部材２６側に、くの字形に屈曲されて、押圧突条５６が形成されている。
この押圧突条５６は、図３０に示したバンド固定位置において、押さえ板３４に圧接するようになっている。
【００１７】
さらに、図２６〜図２８に示したように、ピン４６には、係止枠５８が装着されている。この係止枠５８は、一対の側板６０と、天板６２とから構成されており、これらの一対の側板６０に内方へ突出した係止突部６４が形成されている。
【００１８】
この係止突部６４が、中留本体２４の側壁３２に形成された係止用孔６６に係合し、天板６２が係止板４２に圧接し、係止板４２が浮き上がるのを防止している。
このように構成される従来の中留構造１０では、バンドの長さ調節操作および装着は、下記のようにして行われる。
【００１９】
先ず、図２９の矢印Ａで示したように、内側連結板２０を、ピン２２を中心に、一方のバンド部材２６より離れる方向に回動させる。
これにより、内側連結板２０の先端部分の押圧突起４８が、図２９の矢印Ｂで示したように、ピン２２を中心に、押さえ板３４より離れる方向に回動することによって、押さえ板３４を、一方のバンド部材２６の表面側に押圧する力が解放される。
【００２０】
これにより、一方のバンド部材２６が中留本体２４の摺動枠２８の底板３０側に付勢されなくなり、押さえ板３４と摺動枠２８の底板３０との間でバンドが挟持されなくなり、中留本体２４を一方のバンド部材２６上で移動することができるようになる。
【００２１】
このように、中留本体２４の摺動枠２８を一方のバンド部材２６上で所定の位置に移動することにより、バンドの長さを使用者の手首の太さに合わせて調整して、バンドの径を拡げて手首に嵌める。
【００２２】
そして、図２９の矢印Ｃ方向に、ピン２２を中心に、内側連結板２０を一方のバンド部材２６の方へ回動させ、図３０に示した位置にする。
この状態では、内側連結板２０の先端部分の押圧突起４８が、図２９の矢印Ｄで示したように、ピン２２を中心に、押さえ板３４に当接する方向に回動した状態になる。
【００２３】
これにより、図３０に示したように、押圧突起４８が、押さえ板３４を、一方のバンド部材２６の表面側に押圧して、一方のバンド部材２６を中留本体２４の摺動枠２８の底板３０側に付勢することによって、押さえ板３４と中留本体２４の摺動枠２８の底板３０との間で、一方のバンド部材２６を挟持して固定することができる。
【００２４】
なお、この状態では、内側連結板２０の押圧突条５６が、押さえ板３４を一方のバンド部材２６に圧接し、一方のバンド部材２６を挟持して、さらに確実に固定している。
さらに、この状態では、図３０に示したように、一方のバンド部材２６の外側駒部材７０の間の間隙から構成される係止用凹部７２の一つに、中留本体２４の摺動枠２８の底板３０に、外側駒部材７０に対応する位置に形成した突設係合部６８が、嵌合し、一方のバンド部材２６が、中留本体２４の摺動枠２８内を移動するのを防止し、さらに確実に一方のバンド部材２６が中留本体２４の摺動枠２８に対して固定されるようになっている。
【００２５】
次に、図３０に示したように、外側連結板１６を、内側連結板２０の上に重ね、係止板４２をピン４０を中心に回動させて、係止爪４４をピン４６に係合させて、中留本体２４の手首への装着が行われる。
【００２６】
すなわち、互いに機械的な食い付き合う、係止板４２の係止爪４４と、中留本体２４のピン４６とが、折り畳み部と中留本体２４とのロック機構を構成している。
そして、図３０の鎖線で示したように、係止枠５８を、中留本体２４の方へ矢印Ｅ方向に、ピン４６を中心に回動させて、係止突部６４を、中留本体２４の摺動枠２８の側壁３２の係止用孔６６に係合させることによって、上記のロック機構で中留本体２４に係止された折り畳み部が、さらに確実に中留本体２４に対して固定されるように構成され、折り畳み部と中留本体２４との係止状態が不用意に解除されるのを防止するようになっており、これが第２のロック機構として機能している。
【００２７】
以上のように操作することによって、バンドの長さ調節操作および装着が行われる。
なお、バンド長さを変える場合、およびバンドを外す際には、上記と逆の順に操作を行えばよいように構成されている。
【特許文献１】特許第３４９０２８４号公報
【特許文献２】特許第３５４７３１１号公報
【発明の開示】
【発明が解決しようとする課題】
【００２８】
しかしながら、従来の中留構造１０では、中留本体２４の摺動枠２８を一方のバンド部材２６上で所定の位置に移動することにより、バンドの長さを使用者の手首の太さに合わせて調整して、バンドの径を拡げて手首に嵌める際に、図３１に示したように、中留本体２４の摺動枠２８の底板３０に形成した突設係合部６８と、一方のバンド部材２６の外側駒部材７０の間の間隙から構成される係止用凹部７２との位置がずれてしまうことがある。
【００２９】
このような位置ずれが生じたことについて、従来の中留構造１０では、装着者が確認することができない構造となっている。
従って、このような状態で、図２９の矢印Ｃ方向に、ピン２２を中心に、内側連結板２０を一方のバンド部材２６の方へ回動させ、図３０に示したように、内側連結板２０の先端部分の押圧突起４８が、押さえ板３４を、一方のバンド部材２６の表面側に押圧して、押さえ板３４と中留本体２４の摺動枠２８の底板３０との間で、一方のバンド部材２６を挟持して固定する際に、無理な力が負荷されることになる。
【００３０】
これにより、一方のバンド部材２６の外側駒部材７０の表面または裏面が傷ついてしまうことがあり、このように、一方のバンド部材２６の外側駒部材７０の表面が傷ついてしまった場合には、腕時計としての美観を損なうことになってしまう。
【００３１】
さらに、内側連結板２０の先端部分の押圧突起４８が、押さえ板３４を、一方のバンド部材２６の表面側に押圧した際に、無理な力が負荷され、これにより、押圧突起４８が潰れて塑性変形したり、中留本体２４の摺動枠２８の底板３０に形成した突設係合部６８、押さえ板３４が塑性変形することがある。
【００３２】
このように、押圧突起４８、突設係合部６８、押さえ板３４が塑性変形した場合には、内側連結板２０の先端部分の押圧突起４８が、押さえ板３４を、一方のバンド部材２６の表面側に押圧しても、その負荷力が弱く、押さえ板３４と中留本体２４の摺動枠２８の底板３０との間で、一方のバンド部材２６を挟持して固定することができず、しかも、突設係合部６８と、一方のバンド部材２６の外側駒部材７０の間の間隙から構成される係止用凹部７２との位置がずれて、一方のバンド部材２６の位置がずれたり、腕時計が手首から脱落するおそれがある。
【００３３】
本発明は、このような現状を考慮して、中留本体の底面の突設係合部が、一方のバンド部材の裏面側に形成された係止用凹部に係合する係合位置にあるか否かを、装着者が確実かつ容易に確認することができ、これにより、バンド押圧手段を作動させて中留本体に一方のバンド部材を固定する際に、一方のバンド部材の表面が傷ついて美観を損なうことがなく、押圧突起、突設係合部、押さえ板が塑性変形することなく、一方のバンド部材を挟持して中留本体に確実に固定することができ、一方のバンド部材の位置がずれたり、装身具が手首から脱落するおそれがない装身具の中留構造を提供することを目的とする。
【課題を解決するための手段】
【００３４】
本発明は、前述したような従来技術における課題および目的を達成するために発明なされたものであって、本発明の装身具の中留構造は、
装身具の一方のバンド部材の端部が摺動可能に挿通される中留本体と、前記一方のバンド部材を前記中留本体の底面側に付勢することによって前記一方のバンド部材を固定するバンド押圧手段とを備えた装身具の中留構造であって、
前記一方のバンド部材を前記中留本体に挿通して摺動させて前記バンド押圧手段を作動させる際に、前記中留本体の底面の突設係合部が前記一方のバンド部材の裏面側に形成された係止用凹部に係合する位置にあるか否かを確認するための窓開口部を前記中留本体の少なくとも一方の側壁に形成したことを特徴とする。
【００３５】
このように構成することによって、窓開口部を、中留本体の少なくとも一方の側壁に形成しているので、一方のバンド部材を中留本体に挿通して摺動させて、バンド押圧手段を作動させる際に、中留本体の底面の突設係合部が、一方のバンド部材の裏面側に形成された係止用凹部に係合する係合位置にあるか否かを、装着者が確実かつ容易に確認することができる。
【００３６】
従って、バンド押圧手段を作動させて中留本体に一方のバンド部材を固定する際に、一方のバンド部材の表面が傷ついて美観を損なうことがなく、押圧突起、突設係合部、押さえ板が塑性変形することがなく、一方のバンド部材を挟持して中留本体に確実に固定することができ、一方のバンド部材の位置がずれたり、装身具が手首から脱落するおそれがない。
【００３７】
なお、この場合、「係止用凹部」とは、一方のバンド部材の裏面側に形成した溝、孔部などであってもよく、また、一方のバンド部材が、後述するように、複数の駒部材を連結して構成したものであれば、駒部材の間隙であってもよく、特に限定されるものではない。
【００３８】
また、本発明の装身具の中留構造は、前記窓開口部と前記突設係合部が隣接した位置に配置されていることを特徴とする。
このように構成することによって、窓開口部と、前記中留本体の底面の突設係合部が、バンドの幅方向に隣接した位置に配置されているので、窓開口部を介して、中留本体の底面の突設係合部が、一方のバンド部材の裏面側に形成された係止用凹部に係合する係合位置にあるか否かを、装着者が確実かつ容易に確認することができる。
【００３９】
なお、この場合「バンドの幅方向に隣接した位置」とは、正確に、窓開口部と中留本体の底面の突設係合部が並列した状態でなく、ある一定の距離、バンドの長手方向にずれた位置をも包含する意味である。
【００４０】
また、本発明の装身具の中留構造は、前記突設係合部を前記窓開口部のバンド長手方向の幅の中央位置に配置したことを特徴とする。
【００４１】
このように構成することによって、窓開口部のバンドの長手方向の幅の中央位置に、中留本体の底面の突設係合部が配置されているので、窓開口部のバンドの長手方向の幅の中央位置に、一方のバンド部材の裏面側に形成された係止用凹部が位置して、中留本体の底面の突設係合部が、一方のバンド部材の裏面側に形成された係止用凹部に係合する係合位置にあるか否かを、窓開口部を介して、装着者が確実かつ容易に確認することができる。
【００４２】
また、本発明の装身具の中留構造は、前記突設係合部を前記窓開口部のバンド長手方向の幅の開口端位置に配置したことを特徴とする。
また、本発明の装身具の中留構造は、前記窓開口部にマーキングしたことを特徴とする。
【００４３】
このように構成することによって、窓開口部のバンドの長手方向の開口端位置に、中留本体の底面の突設係合部が配置されているので、窓開口部のバンドの長手方向の開口端位置に、一方のバンド部材の裏面側に形成された係止用凹部が位置して、中留本体の底面の突設係合部が、一方のバンド部材の裏面側に形成された係止用凹部に係合する係合位置にあるか否かを、窓開口部を介して、装着者が確実かつ容易に確認することができる。
【００４４】
また、本発明の装身具の中留構造は、
前記窓開口部のバンドの長手方向の幅の中央位置から、一方のバンド部材の裏面側に形成された係止用凹部の係止用凹部間の距離Ｌの整数倍の距離離間した位置に、中留本体の底面の突設係合部が配置されているとともに、
前記窓開口部のバンドの長手方向の幅の中央位置に、一方のバンド部材の裏面側に形成された係止用凹部が位置する位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００４５】
このように構成することによって、窓開口部のバンドの長手方向の幅の中央位置から、一方のバンド部材の裏面側に形成された係止用凹部の係止用凹部間の距離Ｌの整数倍の距離離間した位置に、中留本体の底面の突設係合部が配置されているので、窓開口部のバンドの長手方向の幅の中央位置に、一方のバンド部材の裏面側に形成された係止用凹部が位置する位置にあれば、中留本体の底面の突設係合部が、一方のバンド部材の裏面側に形成された係止用凹部に係合する係合位置にあることになるので、窓開口部を介して、装着者がこのような状態にあるか否かを確実かつ容易に確認することができる。
【００４６】
また、本発明の装身具の中留構造は、
前記窓開口部のバンドの長手方向の開口端位置から、一方のバンド部材の裏面側に形成された係止用凹部の係止用凹部間の距離Ｌの整数倍の距離離間した位置に、中留本体の底面の突設係合部が配置されているとともに、
前記窓開口部のバンドの長手方向の開口端位置に、一方のバンド部材の裏面側に形成された係止用凹部が位置する位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００４７】
このように構成することによって、窓開口部のバンドの長手方向の開口端位置から、一方のバンド部材の裏面側に形成された係止用凹部の係止用凹部間の距離Ｌの整数倍の距離離間した位置に、中留本体の底面の突設係合部が配置されているので、窓開口部のバンドの長手方向の開口端位置に、一方のバンド部材の裏面側に形成された係止用凹部が位置する位置にあれば、中留本体の底面の突設係合部が、一方のバンド部材の裏面側に形成された係止用凹部に係合する係合位置にあることになるので、窓開口部を介して、装着者がこのような状態にあるか否かを確実かつ容易に確認することができる。
【００４８】
また、本発明の装身具の中留構造は、
前記一方のバンド部材が、複数の駒部材がバンドの長手方向に連結されているとともに、
前記駒部材が、バンドの幅方向の中央部分に配列された中央駒部材と、
前記中央駒部材のバンドの幅方向両側に配列された外側駒部材と、を備え、
前記中留本体の底面の突設係合部が、外側駒部材に対応する位置に形成されるとともに、
前記一方のバンド部材の裏面側に形成された係止用凹部が、外側駒部材の間の間隙から構成されていることを特徴とする。
【００４９】
このように構成することによって、中留本体の底面の突設係合部が、外側駒部材に対応する位置に形成されるとともに、一方のバンド部材の裏面側に形成された係止用凹部が、外側駒部材の間の間隙から構成されているので、一方のバンド部材を中留本体に挿通して摺動させて、バンド押圧手段を作動させる際に、外側駒部材に対応する位置に形成される中留本体の底面の突設係合部が、一方のバンド部材の外側駒部材の間の間隙から構成されている係止用凹部に係合する係合位置にあるか否かを、装着者が確実かつ容易に確認することができる。
【００５０】
また、本発明の装身具の中留構造は、
前記一方のバンド部材が、複数の駒部材がバンドの長手方向に連結されているとともに、
前記駒部材が、バンドの幅方向の中央部分に配列された中央駒部材と、
前記中央駒部材のバンドの幅方向両側に配列された外側駒部材と、を備え、
前記中留本体の底面の突設係合部が、中央駒部材に対応する位置に形成されるとともに、
前記一方のバンド部材の裏面側に形成された係止用凹部が、中央駒部材の間の間隙から構成されていることを特徴とする。
【００５１】
このように構成することによって、中留本体の底面の突設係合部が、中央駒部材に対応する位置に形成されるとともに、一方のバンド部材の裏面側に形成された係止用凹部が、中央駒部材の間の間隙から構成されているので、一方のバンド部材を中留本体に挿通して摺動させて、バンド押圧手段を作動させる際に、中央駒部材に対応する位置に形成される中留本体の底面の突設係合部が、一方のバンド部材の中央駒部材の間の間隙から構成されている係止用凹部に係合する係合位置にあるか否かを、装着者が確実かつ容易に確認することができる。
【００５２】
また、本発明の装身具の中留構造は、
前記窓開口部のバンドの長手方向の幅の中央位置に、外側駒部材の間の間隙が位置した際に、中央駒部材の間の間隙に対応する位置に、中留本体の底面の突設係合部が配置されているとともに、
前記窓開口部のバンドの長手方向の幅の中央位置に、外側駒部材の間の間隙が位置し、中留本体の底面の突設係合部が、一方のバンド部材の裏面側に形成された係止用凹部である中央駒部材の間の間隙に係合する係合位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００５３】
このように構成することによって、窓開口部のバンドの長手方向の幅の中央位置に、外側駒部材の間の間隙が位置した際に、中央駒部材の間の間隙に対応する位置に、中留本体の底面の突設係合部が配置されているので、窓開口部のバンドの長手方向の幅の中央位置
に、外側駒部材の間の間隙が位置し、中留本体の底面の突設係合部が、一方のバンド部材の裏面側に形成された係止用凹部である中央駒部材の間の間隙に係合する係合位置にあるか否かを、窓開口部を介して、装着者が確実かつ容易に確認することができる。
【００５４】
また、本発明の装身具の中留構造は、
前記窓開口部のバンドの長手方向の開口端位置に、外側駒部材の間の間隙が位置した際に、中央駒部材の間の間隙に対応する位置に、中留本体の底面の突設係合部が配置されているとともに、
前記窓開口部のバンドの長手方向の開口端位置に、外側駒部材の間の間隙が位置し、中留本体の底面の突設係合部が、一方のバンド部材の裏面側に形成された係止用凹部である中央駒部材の間の間隙に係合する係合位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００５５】
このように構成することによって、窓開口部のバンドの長手方向の開口端位置に、外側駒部材の間の間隙が位置した際に、中央駒部材の間の間隙に対応する位置に、中留本体の底面の突設係合部が配置されているので、窓開口部のバンドの長手方向の開口端位置に、外側駒部材の間の間隙が位置し、中留本体の底面の突設係合部が、一方のバンド部材の裏面側に形成された係止用凹部である中央駒部材の間の間隙に係合する係合位置にあるか否かを、窓開口部を介して、装着者が確実かつ容易に確認することができる。
【００５６】
また、本発明の装身具の中留構造は、
前記窓開口部のバンドの長手方向の幅の中央位置に、外側駒部材の間の間隙が位置した際に、中央駒部材の間の間隙に対応する位置から、一方のバンド部材の裏面側に形成された係止用凹部である中央駒部材の間の間隙の間の距離Ｌ’の整数倍の距離離間した位置に、中留本体の底面の突設係合部が配置されているとともに、
前記窓開口部のバンドの長手方向の幅の中央位置に、外側駒部材の間の間隙が位置し、中留本体の底面の突設係合部が、一方のバンド部材の裏面側に形成された係止用凹部である中央駒部材の間の間隙に係合する係合位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００５７】
このように構成することによって、窓開口部のバンドの長手方向の幅の中央位置に、外側駒部材の間の間隙が位置した際に、中央駒部材の間の間隙に対応する位置から、一方のバンド部材の裏面側に形成された係止用凹部である中央駒部材の間の間隙の間の距離Ｌ’の整数倍の距離離間した位置に、中留本体の底面の突設係合部が配置されているので、窓開口部のバンドの長手方向の幅の中央位置に、外側駒部材の間の間隙が位置する位置にあれば、中留本体の底面の突設係合部が、一方のバンド部材の裏面側に形成された係止用凹部である中央駒部材の間の間隙に係合する係合位置にあることになるので、窓開口部を介して、装着者がこのような状態にあるか否かを確実かつ容易に確認することができる。
【００５８】
また、本発明の装身具の中留構造は、
前記窓開口部のバンドの長手方向の開口端位置に、外側駒部材の間の間隙が位置した際に、中央駒部材の間の間隙に対応する位置から、一方のバンド部材の裏面側に形成された係止用凹部である中央駒部材の間の間隙の間の距離Ｌ’の整数倍の距離離間した位置に、中留本体の底面の突設係合部が配置されているとともに、
前記窓開口部のバンドの長手方向の開口端位置に、外側駒部材の間の間隙が位置し、中留本体の底面の突設係合部が、一方のバンド部材の裏面側に形成された係止用凹部である
中央駒部材の間の間隙に係合する係合位置において、バンド押圧手段を作動させて、
前記押さえ板を、一方のバンド部材の表面側に押圧して、一方のバンド部材を中留本体の底面側に付勢することによって、押さえ板と中留本体の底面との間で一方のバンド部材を挟持して固定するように構成したことを特徴とする。
【００５９】
このように構成することによって、窓開口部のバンドの長手方向の開口端位置に、外側駒部材の間の間隙が位置した際に、中央駒部材の間の間隙に対応する位置から、一方のバンド部材の裏面側に形成された係止用凹部である中央駒部材の間の間隙の間の距離Ｌ’の整数倍の距離離間した位置に、中留本体の底面の突設係合部が配置されているので、窓開口部のバンドの長手方向の開口端位置に、外側駒部材の間の間隙が位置にあれば、中留本体の底面の突設係合部が、一方のバンド部材の裏面側に形成された係止用凹部である中央駒部材の間の間隙に係合する係合位置にあることになるので、窓開口部を介して、装着者がこのような状態にあるか否かを確実かつ容易に確認することができる。
【００６０】
また、本発明の装身具の中留構造は、
前記バンド押圧手段が、中留本体に設けた回動軸を中心に回動することによって、押さえ板を、一方のバンド部材の表面側に押圧して、一方のバンド部材を中留本体の底面側に付勢することによって、押さえ板と中留本体の底面との間で一方のバンド部材を挟持して固定する係止突起を備えることを特徴とする。
【００６１】
このように構成することによって、バンド押圧手段を中留本体に設けた回動軸を中心に回動するだけで、いわゆる「てこの原理」によって、押圧力を押さえ板に負荷することができ、一方のバンド部材を挟持して中留本体に確実に固定することができ、一方のバンド部材の位置がずれたり、装身具が手首から脱落するおそれがない。
【００６２】
また、本発明の装身具の中留構造は、
前記中留本体と他方のバンド部材との間に連結され、前記中留本体に対して折り畳み可能な折り畳み部と、前記折り畳み部が前記中留本体に対して折り畳まれた状態で前記折り畳み部と前記中留本体とを着脱自在に係止するロック機構とを備えることを特徴とする。
【００６３】
このように構成することによって、折り畳み部を拡げた状態で、バンドで形成されるバンドループ内に容易に手首を挿入でき、この状態から折り畳み部が、中留本体に対して折り畳まれた状態として、折り畳み部と中留本体とをロック機構によって係止することにより、手首に装身具を着脱自在に装着することができる。
【００６４】
また、本発明の装身具の中留構造は、前記ロック機構によって、折り畳み部が、中留本体に対して折り畳まれた状態で、折り畳み部と中留本体との係止状態が解除されるのを防止する第２のロック機構を備える。
【００６５】
このように構成することによって、折り畳み部に形成した係止用突設部を、中留本体の側壁に形成した係止用孔部に係止するだけで、折り畳み部と一方のバンド部材を中留本体に確実に着脱自在に係止することがき、ロック機構で中留本体に係止された折り畳み部が、さらに確実に中留本体２４に対して固定され、折り畳み部と中留本体２４との係止状態が不用意に解除されるのを防止することができるとともに、加工が容易で、かつ中留本体の美観を損なうことがない。
【００６６】
また、本発明の装身具の中留構造は、
前記ロック機構が前記折り畳み部に突設されたフック部と、前記中留本体に摺動可能に取り付けられ前記中留本体の外方より押圧可能に配置されるプッシュボタンと、前記プッシュボタンを外方に付勢する弾性手段と、前記プッシュボタンに設けられる係合部と、
前記折り畳み部を前記中留本体に対して折り畳んだ際に、弾性手段に付勢された前記係合部が前記フック部と係合して前記折り畳み部と前記中留本体とを係止する係止手段とを備えることを特徴とする。
【００６７】
このように構成することによって、ロック機構により折り畳み部を中留本体に係止することにより、プッシュボタンと係合した折り畳み部のフック部が、一方のバンド部材を押圧することによって、フック部と中留本体との間で一方のバンド部材が挟持される。これにより、一方のバンド部材を挟持して中留本体に確実に固定することができ、一方のバンド部材の位置がずれたり、装身具が手首から脱落するおそれがない。
【００６８】
また、本発明の装身具の中留構造は、前記窓開口部が前記プッシュボタンの位置とずれて形成されていることを特徴とする。
このように構成することによって、窓開口部が、中留本体の側壁のバンドの長手方向に、プッシュボタンの位置とはずれて形成されているので、プッシュボタンが邪魔にならず、バンド押圧手段を作動させる際に、中留本体の底面の突設係合部が、一方のバンド部材の裏面側に形成された係止用凹部に係合する係合位置にあるか否かを、装着者が確実かつ容易に確認することができる。
【００６９】
また、本発明の装身具の中留構造は、前記折り畳み部と中留本体とが係止された状態で、折り畳み部に突設されたフック部により、押さえ板を、一方のバンド部材の表面側に押圧して、一方のバンド部材を中留本体の底面側に付勢することによって、押さえ板と中留本体の底面との間で一方のバンド部材を挟持して固定するバンド押圧手段を構成することを特徴とする。
【００７０】
このように構成することによって、折り畳み部と中留本体とが係止された状態で、折り畳み部に突設されたフック部により、押さえ板を、一方のバンド部材の表面側に押圧して、一方のバンド部材を中留本体の底面側に付勢することによって、押さえ板と中留本体の底面との間で一方のバンド部材を挟持して固定することができ、一方のバンド部材の位置がずれたり、装身具が手首から脱落するおそれがない。
【００７１】
また、本発明の装身具の中留構造は、
前記折り畳み部が、他方のバンド部材の端部に回動可能に取付けられ、互いに回動可能に連結された少なくとも二個の連結板を備え、
前記連結板のうち、中留本体に回動可能に連結された連結端に、バンド押圧手段の係止突起を備えることを特徴とする。
【００７２】
このように構成することによって、中留本体に回動可能に連結された連結板を回動するだけで、いわゆる「てこの原理」によって、この連結板の連結端に形成したバンド押圧手段の係止突起により、押圧力を押さえ板に負荷することができ、一方のバンド部材を挟持して中留本体に確実に固定することができ、一方のバンド部材の位置がずれたり、装身具が手首から脱落するおそれがない。
【００７３】
また、本発明の装身具の中留構造は、
他方のバンド部材を係止する中留本体に形成された係止ピンと、
前記他方のバンド部材の端部に回動可能に取り付けられた係止板部と、
前記係止板部に突設され、中留本体の係止ピンと着脱自在に係止する係止フック部と、を備えることを特徴とする。
【００７４】
このように構成することによって、他方のバンド部材の端部に回動可能に取り付けられた係止板部を回動するだけで、係止板部に突設された係止フック部が、中留本体に形成された係止ピンに係止することができ、係止板部を着脱自在に係止することができる。
【００７５】
また、本発明の装身具の中留構造は、
前記ロック機構が、
他方のバンド部材の端部に回動可能に連結され係止板部に突設されたフック部と、
前記中留本体に摺動可能に取り付けられ、中留本体の外方より押圧可能に配置されるプッシュボタンと、
前記プッシュボタンを外方に付勢する弾性手段と、
前記プッシュボタンに設けられる係合部と、
前記係止板部を中留本体に対して係止した際に、弾性手段に付勢された係合部が、係止フック部と係合して、折り畳み部と中留本体とを係止する係止手段と、
を備えることを特徴とする。
【００７６】
このように構成することによって、係止板部を中留本体に対して係止した際に、弾性手段に付勢された係合部が、係止フック部と係合して、折り畳み部と中留本体とを係止することができ、プッシュボタンを弾性手段に抗して押圧するだけで、折り畳み部と中留本体との係合を解除することができ便利である。
【００７７】
また、本発明の装身具の中留構造は、
前記係止板部と中留本体とが係止された状態で、係止板部に突設されたフック部により、押さえ板を、一方のバンド部材の表面側に押圧して、一方のバンド部材を中留本体の底面側に付勢することによって、押さえ板と中留本体の底面との間で一方のバンド部材を挟持して固定するバンド押圧手段を構成することを特徴とする。
【００７８】
このように構成することによって、ロック機構により折り畳み部を中留本体に係止することにより、プッシュボタンと係合した係止板部に突設されたフック部が、一方のバンド部材を押圧することによって、フック部と中留本体との間で一方のバンド部材が挟持される。これにより、一方のバンド部材を挟持して中留本体に確実に固定することができ、一方のバンド部材の位置がずれたり、装身具が手首から脱落するおそれがない。
【発明の効果】
【００７９】
本発明によれば、窓開口部を、中留本体の少なくとも一方の側壁に形成しているので、一方のバンド部材を中留本体に挿通して摺動させて、バンド押圧手段を作動させる際に、中留本体の底面の突設係合部が、一方のバンド部材の裏面側に形成された係止用凹部に係合する係合位置にあるか否かを、装着者が確実かつ容易に確認することができる。
【００８０】
従って、バンド押圧手段を作動させて中留本体に一方のバンド部材を固定する際に、一方のバンド部材の表面が傷ついて美観を損なうことがなく、押圧突起、突設係合部、押さえ板が塑性変形することがなく、一方のバンド部材を挟持して中留本体に確実に固定することができ、一方のバンド部材の位置がずれたり、装身具が手首から脱落するおそれがない。
【発明を実施するための最良の形態】
【００８１】
以下、図面を参照しながら本発明の実施の形態（実施例）について説明する。
本発明の装身具の中留構造を、時計バンド構造の中留構造に適用した実施例について、
図面を参照して以下に詳細に説明する。
（実施例１）
図１は、本発明の装身具の中留構造１０の第１の実施例の斜視図、図２は、図１の中留構造１０の一部の分解斜視図、図３〜図４は、図１の中留構造１０の開閉動作を説明する断面概略図、図５は、図１の中留構造１０の部分平面断面図、図６は、手首に本発明の装身具の中留構造１０を装着した状態を示す斜視図、図７は、本発明の装身具の中留構造１０の第１の実施例の開閉動作を説明する断面概略図である。
【００８２】
図１および図２に示したように、本発明の装身具の中留構造１０（以下、単に「中留構造１０」と言う）は、基本的には、図２６〜図３１に示した従来の中留構造１０と同様な構成であり、同じ構成部材には同じ参照番号を付してその詳細な説明を省略する。
【００８３】
この実施例の中留構造１０では、中留本体２４の摺動枠２８の底板３０の突設係合部６８が、外側駒部材７０に対応する位置に形成されるとともに、一方のバンド部材２６の裏面側に形成された係止用凹部７２が、外側駒部材７０の間の間隙から構成されている。
【００８４】
また、図１、図２に示したように、略矩形状の一対の窓開口部７４が、摺動枠２８の両側の側壁３２にそれぞれ形成されている。
この窓開口部７４は、一方のバンド部材２６を中留本体２４の摺動枠２８に挿通して摺動させて、バンド押圧手段を作動させる際に、中留本体２４の摺動枠２８の底板３０に、外側駒部材７０に対応する位置に形成した突設係合部６８が、一方のバンド部材２６の外側駒部材７０の間の間隙から構成される係止用凹部７２に係合する係合位置にあるか否かを確認するためのものである。
【００８５】
そして、この場合、窓開口部７４と、中留本体２４の摺動枠２８の底板３０の突設係合部６８が、バンドの幅方向に隣接した位置に配置されている。
特に、この実施例では、図３〜図５に示したように、窓開口部７４のバンドの長手方向の幅Ｗの中央位置（Ｗ／２の位置）に、中留本体２４の摺動枠２８の底板３０の突設係合部６８が配置されている。
【００８６】
従って、窓開口部７４のバンドの長手方向の幅Ｗの中央位置（Ｗ／２の位置）に、一方のバンド部材２６の裏面側に形成された係止用凹部７２、この実施例の場合には、外側駒部材７０の間の間隙から構成される係止用凹部７２が位置して、中留本体２４の摺動枠２８の底板３０の外側駒部材７０に対応する位置に形成した突設係合部６８が、一方のバンド部材２６の裏面側に形成された係止用凹部７２に係合する係合位置にあるか否かを、窓開口部７４を介して、装着者が確実かつ容易に確認することができるように構成されている。
【００８７】
また、窓開口部７４は、中留本体２４の摺動枠２８の側壁３２に位置しているので、装身具の携帯者は、たとえ装身具が手首に巻回された状態であっても、図６、図１９に示したように、窓開口部７４を容易に視認できる。従って、携帯者は、装身具を手首に巻回したまま、窓開口部７４を介して、一方のバンド部材２６と係止用凹部７２との相対的位置を容易に確認できる。
【００８８】
このように構成することによって、このような状態で、図３、図４の矢印Ｃ方向に、ピン２２を中心に、内側連結板２０を一方のバンド部材２６の方へ回動させ、内側連結板２０の先端部分の押圧突起４８が、押さえ板３４を、一方のバンド部材２６の表面側に押圧して、押さえ板３４と中留本体２４の摺動枠２８の底板３０との間で、一方のバンド部材２６を挟持して固定する際に、無理な力が負荷されることがない。
【００８９】
これにより、一方のバンド部材２６の外側駒部材７０の表面または裏面が傷ついてしまうことがなく、腕時計としての美観を損なうこともない。
さらに、内側連結板２０の先端部分の押圧突起４８が、押さえ板３４を、一方のバンド部材２６の表面側に押圧した際に、無理な力が負荷されることがないので、押圧突起４８が潰れて塑性変形したり、中留本体２４の摺動枠２８の底板３０に形成した突設係合部６８、押さえ板３４が塑性変形することもない。
【００９０】
従って、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材を挟持して中留本体に確実に固定することができ、一方のバンド部材２６の位置がずれたり、装身具が手首から脱落するおそれがない。
【００９１】
また、図７の鎖線で示したように、係止枠５８を、中留本体２４の方へ矢印Ｅ方向に、ピン４６を中心に回動させて、係止突部６４を、中留本体２４の摺動枠２８の側壁３２の係止用孔６６に係合させることによって、係止枠５８を摺動枠２８に係止するようになっている。
【００９２】
このように摺動枠２８に対して閉じた位置にある係止枠５８は、中留本体２４の摺動枠２８に折り畳まれて係止された折り畳み部の上方に位置して、折り畳み部と中留本体２４との係止状態が不用意に解除されて展開されるのを防止するように構成され、この係止枠５８が第２のロック機構として機能している。
【００９３】
この場合、閉じた位置にある係止枠５８は、摺動枠２８の上部の一部と、２つの対向する側壁３２の一部を覆っているが、窓開口部７４は、係止枠５８に覆われずに露出する位置に配置されている。
【００９４】
このように、第２のロック手段を構成する係止枠５８が設けられる場合、図７に示したように、閉じた位置にある係止枠５８と重ならない位置に、窓開口部７４を形成することができる。
【００９５】
なお、この実施例では、摺動枠２８の両側の側壁３２に、一対の窓開口部７４を設けたが、少なくとも一方の側壁３２に窓開口部７４を設ければよい。
この場合、図６に示したように、手首に中留構造１０を装着した際に、装着者から窓開口部７４を確認できるためには、装着者の身体側、図６において下方側に、窓開口部７４を設けるのが望ましい。
【００９６】
また、この実施例では、窓開口部７４の形状を、略矩形状としたが、上記の位置確認を行える形状であれば、特に限定されるものではなく、例えば、三角形、円形、楕円形など窓開口部７４の形状は適宜選択することができる。
【００９７】
なお、これらの変形実施例は、下記の実施例においても同様に適用できることはもちろんである。
（実施例２）
図８は、本発明の装身具の中留構造１０の第２の実施例の開閉動作を説明する断面概略図、図９は、図８の中留構造１０の部分平面断面図である。
【００９８】
この実施例の中留構造１０は、基本的には、上記の第１の実施例の中留構造１０と基本的には、同様な構成であり、同じ構成部材には同じ参照番号を付してその詳細な説明を省略する。
【００９９】
この実施例の中留構造１０では、図８〜図９に示したように、窓開口部７４のバンドの長手方向の開口端７４ａの位置に、中留本体２４の摺動枠２８の底板３０の突設係合部６８が配置されている。
【０１００】
従って、バンド押圧手段を作動させる際に、窓開口部７４のバンドの長手方向の開口端７４ａの位置に、一方のバンド部材２６の裏面側に形成された係止用凹部７２、この実施例の場合には、外側駒部材７０の間の間隙から構成される係止用凹部７２が位置して、中留本体２４の摺動枠２８の底板３０の外側駒部材７０に対応する位置に形成した突設係合部６８が、一方のバンド部材２６の裏面側に形成された係止用凹部７２に係合する係合位置にあるか否かを、窓開口部７４を介して、装着者が確実かつ容易に確認することができるように構成されている。
【０１０１】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
【０１０２】
なお、この実施例では、窓開口部７４のバンドの長手方向の開口端７４ａの位置に、中留本体２４の摺動枠２８の底板３０の突設係合部６８が配置したが、窓開口部７４のバンドの長手方向の他方の開口端７４ｂの位置に、中留本体２４の摺動枠２８の底板３０の突設係合部６８を形成することも可能である。
（実施例３）
図１０は、本発明の装身具の中留構造１０の第３の実施例の部分平面断面図である。
【０１０３】
この実施例の中留構造１０は、基本的には、上記の第１の実施例の中留構造１０と基本的には、同様な構成であり、同じ構成部材には同じ参照番号を付してその詳細な説明を省略する。
【０１０４】
この実施例の中留構造１０では、図１０に示したように、窓開口部７４のバンドの長手方向の幅Ｗの中央位置（Ｗ／２の位置）から、一方のバンド部材２６の裏面側に形成された係止用凹部７２の係止用凹部間の距離Ｌの整数倍の距離離間した位置に（この実施例では、説明の便宜上、整数倍が１倍の実施例を示しているが）、すなわち、中留本体２４の摺動枠２８の底板３０の外側駒部材７０に対応する位置に、突設係合部６８が配置されている。
【０１０５】
このように構成することによって、バンド押圧手段を作動させる際に、窓開口部７４のバンドの長手方向の幅Ｗの中央位置（Ｗ／２の位置）に、一方のバンド部材２６の裏面側に形成された係止用凹部７２が位置する位置にあれば、中留本体２４の摺動枠２８の底板３０の外側駒部材７０に対応する位置に形成した突設係合部６８が、一方のバンド部材２６の裏面側に形成された外側駒部材７０の間の間隙から構成される係止用凹部７２に係合する係合位置にあることになるので、窓開口部７４を介して、装着者が確実かつ容易に確認することができるように構成されている。
【０１０６】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確
実に固定することができ、一方のバンド部材２６の位置がずれたり、装身具が手首から脱落するおそれがない。
（実施例４）
図１１は、本発明の装身具の中留構造１０の第４の実施例の部分平面断面図である。
【０１０７】
この実施例の中留構造１０は、基本的には、上記の第１の実施例の中留構造１０と基本的には、同様な構成であり、同じ構成部材には同じ参照番号を付してその詳細な説明を省略する。
【０１０８】
この実施例の中留構造１０では、図１１に示したように、窓開口部７４のバンドの長手方向の開口端位置７４ｂから、一方のバンド部材２６の裏面側に形成された係止用凹部７２の係止用凹部間の距離Ｌの整数倍の距離離間した位置に（この実施例では、説明の便宜上、整数倍が１倍の実施例を示しているが）、すなわち、中留本体２４の摺動枠２８の底板３０の外側駒部材７０に対応する位置に、突設係合部６８が配置されている。
【０１０９】
このように構成することによって、バンド押圧手段を作動させる際に、窓開口部７４のバンドの長手方向の開口端位置７４ｂに、一方のバンド部材２６の裏面側に形成された外側駒部材７０の間の間隙から構成される係止用凹部７２が位置する位置にあれば、中留本体２４の摺動枠２８の底板３０の外側駒部材７０に対応する位置に形成した突設係合部６８が、一方のバンド部材２６の裏面側に形成された外側駒部材７０の間の間隙から構成される係止用凹部７２に係合する係合位置にあることになるので、窓開口部７４を介して、装着者が確実かつ容易に確認することができるように構成されている。
【０１１０】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
（実施例５）
図１２は、本発明の装身具の中留構造１０の第５の実施例の部分平面断面図である。
【０１１１】
この実施例の中留構造１０は、基本的には、上記の第１の実施例の中留構造１０と基本的には、同様な構成であり、同じ構成部材には同じ参照番号を付してその詳細な説明を省略する。
【０１１２】
図１１に示した第４の実施例の中留構造１０では、図１１に示したように、窓開口部７４のバンドの長手方向の開口端７４ｂの位置に、中留本体２４の摺動枠２８の底板３０の突設係合部６８が配置したが、この実施例の中留構造１０は、図１２に示したように、窓開口部７４のバンドの長手方向の他方の開口端７４ａの位置に、中留本体２４の摺動枠２８の底板３０の突設係合部６８を形成している。
【０１１３】
従って、この実施例の中留構造１０においても、上記の第１の実施例、第４の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
（実施例６）
図１３は、本発明の装身具の中留構造１０の第６の実施例の部分平面断面図である。
【０１１４】
この実施例の中留構造１０は、基本的には、上記の第１の実施例の中留構造１０と基本的には、同様な構成であり、同じ構成部材には同じ参照番号を付してその詳細な説明を省略する。
【０１１５】
この実施例の中留構造１０では、図１３に示したように、中留本体２４の摺動枠２８の底板３０の突設係合部６８が、中央駒部材７６に対応する位置に形成されるとともに、一方のバンド部材２６の裏面側に形成された係止用凹部７２が、中央駒部材７６の間の間隙から構成されている。
【０１１６】
また、図１３に示したように、窓開口部７４のバンドの長手方向の幅Ｗの中央位置（Ｗ／２の位置）に、外側駒部材７０の間の間隙が位置した際に、中央駒部材７６の間の間隙に対応する位置に、中留本体２４の摺動枠２８の底板３０の突設係合部６８が配置されている。
【０１１７】
すなわち、図１３に示したように、中央駒部材７６の間の間隙の間の距離Ｌ’の中央位置（Ｌ’／２の位置）が、窓開口部７４のバンドの長手方向の幅Ｗの中央位置（Ｗ／２の位置）に一致し、中留本体２４の摺動枠２８の底板３０の突設係合部６８が、中央駒部材７６の間の間隙に対応する位置にある。
【０１１８】
このように構成することによって、バンド押圧手段を作動させる際に、窓開口部７４のバンドの長手方向の幅Ｗの中央位置（Ｗ／２の位置）に、外側駒部材７０の間の間隙が位置し、中留本体２４の摺動枠２８の底板３０の突設係合部６８が、一方のバンド部材２６の裏面側に形成された係止用凹部７２である中央駒部材７６の間の間隙に係合する係合位置にあるか否かを、窓開口部７４を介して、装着者が確実かつ容易に確認することができるように構成されている。
【０１１９】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
【０１２０】
なお、この場合、図示しないが、窓開口部７４のバンドの長手方向の幅Ｗの中央位置（Ｗ／２の位置）に、外側駒部材７０の間の間隙が位置した際に、中央駒部材７６の間の間隙に対応する位置から、一方のバンド部材２６の裏面側に形成された係止用凹部７２である中央駒部材７６の間の間隙の間の距離Ｌ’の整数倍の距離離間した位置に、中留本体２４の摺動枠２８の底板３０の突設係合部６８を配置しても良い。
【０１２１】
このように構成することによって、窓開口部７４のバンドの長手方向の幅Ｗの中央位置（Ｗ／２の位置）に、外側駒部材７０の間の間隙が位置する位置にあれば、中留本体２４の摺動枠２８の底板３０の突設係合部６８が、一方のバンド部材２６の裏面側に形成された係止用凹部７２である中央駒部材７６の間の間隙に係合する係合位置にあることになるので、窓開口部７４を介して、装着者がこのような状態にあるか否かを確実かつ容易に確認することができる。
（実施例７）
図１４は、本発明の装身具の中留構造１０の第７の実施例の部分平面断面図である。
【０１２２】
この実施例の中留構造１０は、基本的には、上記の第１の実施例の中留構造１０と基本
的には、同様な構成であり、同じ構成部材には同じ参照番号を付してその詳細な説明を省略する。
【０１２３】
この実施例の中留構造１０では、図１４に示したように、窓開口部７４のバンドの長手方向の開口端７４ａの位置に、外側駒部材７０の間の間隙が位置した際に、中央駒部材７６の間の間隙に対応する位置（中央駒部材７６の間の間隙の間の距離Ｌ’のＬ’／２の位置）に、中留本体２４の摺動枠２８の底板３０の突設係合部６８が配置されている。
【０１２４】
このように構成することによって、バンド押圧手段を作動させる際に、窓開口部７４のバンドの長手方向の開口端７４ａの位置に、外側駒部材７０の間の間隙が位置し、中留本体２４の摺動枠２８の底板３０の突設係合部６８が、一方のバンド部材２６の裏面側に形成された係止用凹部７２である中央駒部材７６の間の間隙に係合する係合位置にあるか否かを、窓開口部７４を介して、装着者が確実かつ容易に確認することができるように構成されている。
【０１２５】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
（実施例８）
図１５は、本発明の装身具の中留構造１０の第８の実施例の部分平面断面図である。
【０１２６】
この実施例の中留構造１０は、基本的には、上記の第１の実施例の中留構造１０と基本的には、同様な構成であり、同じ構成部材には同じ参照番号を付してその詳細な説明を省略する。
【０１２７】
この実施例の中留構造１０では、図１５に示したように、窓開口部７４のバンドの長手方向の開口端位置７４ｂに、外側駒部材７０の間の間隙が位置した際に、中央駒部材７６の間の間隙に対応する位置（図１５において、中央駒部材７６の間の間隙の間の距離Ｌ’のＬ’／２の位置）から、一方のバンド部材の裏面側に形成された係止用凹部である中央駒部材の間の間隙の間の距離Ｌ’の整数倍の距離離間した位置（この実施例では、説明の便宜上、整数倍が１倍の実施例を示しているが）に、中留本体２４の摺動枠２８の底板３０の突設係合部６８が配置されている。
【０１２８】
このように構成することによって、バンド押圧手段を作動させる際に、窓開口部７４のバンドの長手方向の開口端位置７４ｂに、外側駒部材の間の間隙が位置にあれば、中留本体２４の摺動枠２８の底板３０の突設係合部６８が、一方のバンド部材２６の裏面側に形成された係止用凹部７２である中央駒部材７６の間の間隙に係合する係合位置にあることになるので、窓開口部７４を介して、装着者が確実かつ容易に確認することができるように構成されている。
【０１２９】
従って、この実施例の中留構造１０においても、上記の第１の実施例と同様に、バンド押圧手段を作動させて中留本体２４に一方のバンド部材２６を固定する際に、一方のバンド部材２６の表面が傷ついて美観を損なうことがなく、押圧突起４８、突設係合部６８、押さえ板３４が塑性変形することがなく、一方のバンド部材２６を挟持して中留本体に確実に固定することができ、一方のバンド部材２６の位置がずれたり、装身具が手首から脱落するおそれがない。
（実施例９）
図１６は、本発明の装身具の中留構造１０の第９の実施例の部分斜視図、図１７は、図１６の装身具の中留構造１０の部分分解斜視図、図１８は、図１６の装身具の中留構造１０の操作を説明する概略断面図、図１９は、図１６の装身具の中留構造１０の装着状態を説明する概略図である。
【０１３０】
この実施例の中留構造１０は、基本的には、上記の第１の実施例の中留構造１０と基本的には、同様な構成であり、同じ構成部材には同じ参照番号を付してその詳細な説明を省略する。
【０１３１】
この実施例の中留構造１０では、図１６〜図１８に示したように、折り畳み部として、内側連結板２０、外側連結板１６、および係止板部７８を備え、この係止板部７８は、内側連結板２０、および他方のバンド部材１２の端部に回動可能に連結されている。また、ロック機構として、この係止板部７８の裏面には、フック部８０が突設されている。
【０１３２】
このフック部８０は、その先端部分が拡径した拡径部８０ａと、基端側が拡径したテーパー面８０ｂとを備えている。
また、図１６、図１７に示したように、中留本体２４の摺動枠２８の一対の側壁３２にはそれぞれ、プッシュボタン装着開口部８２が形成されており、このプッシュボタン装着開口部８２に、プッシュボタン８４のボタン部８６が、プッシュボタン装着開口部８２より外方に突出するように嵌着され、これにより、中留本体２４の摺動枠２８の外方より、プッシュボタン８４を押圧することができるように配置されている。
【０１３３】
すなわち、プッシュボタン８４は、平面視で、略コ字形状であって、一方のプッシュボタン８４の基端部８８と、他方のプッシュボタン８４のボタン部８６との間に、それぞれプッシュボタン８４を外方に付勢する弾性手段であるコイルバネ９０が装着されている。
【０１３４】
そして、一方のプッシュボタン８４の基端部８８の内側が、係合部９２を形成しており、その内面が、表面側に拡がったテーパー面９４が形成されている。
このように構成することによって、係止板部７８を図１６の矢印Ｆの方向に回動させて、係止板部７８を中留本体２４に対して係止する際に、フック部８０のテーパー面８０ｂと、プッシュボタン８４の係合部９２のテーパー面９４とが当接して、弾性手段であるコイルバネ９０に付勢された係合部９２が、コイルバネ９０に付勢力に抗して広がり、係止板部７８のフック部８０と係合して、折り畳み部と中留本体２４とを係止することができるように構成されている。
【０１３５】
そして、折り畳み部と中留本体２４とを係止を解除するには、プッシュボタン８４のボタン部８６を、弾性手段であるコイルバネ９０に抗して押圧するだけで、折り畳み部と中留本体２４との係合を解除することができるように構成されている。
【０１３６】
そして、この実施例では、図１７に示したように、窓開口部７４が、中留本体２４の摺動枠２８の側壁３２のバンドの長手方向に、プッシュボタン８４の位置とはずれて形成されている。
【０１３７】
このように構成することによって、図１９に示したように、プッシュボタン８４が邪魔にならず、バンド押圧手段を作動させる際に、中留本体２４の摺動枠２８の底板３０の突設係合部６８が、一方のバンド部材２６の裏面側に形成された係止用凹部７２に係合する係合位置にあるか否かを、窓開口部７４を介して、装着者が確実かつ容易に確認することができる。
【０１３８】
なお、図１６中、符号９１は、抜け止め用溝であり、符号９３は、係止片を示しており
、係止片９３を抜け止め用溝９１に係止することにより、プッシュボタン８４が、抜け止め用溝９１に沿って、プッシュボタンケース９５内を移動できるように構成されている。
【０１３９】
また、これにより、プッシュボタンケース９５から、プッシュボタン８４が抜け出さないように構成されている。
なお、この実施例では、他方のバンド部材１２の端部に回動可能に連結され係止板部７８の裏面にフック部８０を設けたが、図示しないが、折り畳み部である外側連結板１６に直接フック部８０を設けることもできる。
【０１４０】
また、図示しないが、折り畳み部と中留本体２４とが係止された状態で、係止板部７８のフック部８０、または、折り畳み部に突設されたフック部により、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するバンド押圧手段を構成することも可能である。
（実施例１０）
図２０は、本発明の装身具の中留構造１０の第１０の実施例の部分斜視図、図２１は、図２０の装身具の中留構造１０の操作を説明する概略断面図である。
【０１４１】
この実施例の中留構造１０は、基本的には、上記の第１の実施例の中留構造１０と基本的には、同様な構成であり、同じ構成部材には同じ参照番号を付してその詳細な説明を省略する。
【０１４２】
この実施例の中留構造１０では、図２０〜図２１に示したように、折り畳み部である外側連結板１６、内側連結板２０を省略して、他方のバンド部材１２を、中留本体２４と一方のバンド部材２６とは分離可能に構成している。
【０１４３】
そして、他方のバンド部材１２の端部に回動可能に連結された係止板部７８を備えており、この係止板部７８の裏面には、フック部８０が突設されている。また、他方のバンド部材１２の端部に、フック部９６が突設されている。
【０１４４】
一方、中留本体２４の摺動枠２８の側壁３２には、フック部８０を係止する係止ピン９８と、フック部９６を係止するための係止ピン１００が、それぞれ設けられている。
このように構成することによって、係止板部７８を中留本体２４に対して係止する際に、先ず、他方のバンド部材１２の端部のフック部９６を係止ピン１００に係止した後、係止板部７８を図２１の矢印Ｇの方向に回動させて、係止板部７８の裏面のフック部８０を係止ピン９８に係止するように構成されている。
【０１４５】
また、この実施例では、係止ピン９８に、バンド押圧手段１０２が設けられており、図２１に示したように、矢印Ｈの方向に、バンド押圧手段１０２を係止ピン９８を中心に回動することによって、バンド押圧手段１０２の先端に形成された係止突起１０４によって、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するように構成されている。
【０１４６】
なお、図示しないが、係止板部７８のフック部８０、他方のバンド部材１２の端部のフック部９６によって、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するバンド押圧手段を構成することも可能である。
（実施例１１）
図２２は、本発明の装身具の中留構造１０の第１１の実施例の部分斜視図、図２３は、図２２の装身具の中留構造１０の操作を説明する概略断面図である。
【０１４７】
この実施例の中留構造１０は、基本的には、上記の第１の実施例の中留構造１０と基本的には、同様な構成であり、同じ構成部材には同じ参照番号を付してその詳細な説明を省略する。
【０１４８】
この実施例の中留構造１０では、図２２〜図２３に示したように、図２０〜図２１に示した第１０の実施例と同様に、折り畳み部である外側連結板１６、内側連結板２０を省略して、他方のバンド部材１２を、中留本体２４と一方のバンド部材２６とは分離可能に構成している。
【０１４９】
そして、他方のバンド部材１２の端部に回動可能に連結された係止板部７８を備えており、この係止板部７８の裏面には、フック部８０が突設されている。また、他方のバンド部材１２の端部に、フック部９６が突設されている。
【０１５０】
また、図１６〜図１９に示した第９の実施例の中留構造１０と同様に、係止板部７８の裏面のフック部８０と着脱自在に係合するプッシュボタン８４が形成されている。
なお、係止板部７８には、係止板部７８を開放する方向に付勢する弾性手段であるコイルバネ１０６が装着されている。これにより、係止板部７８と中留本体２４との係止を解除するには、プッシュボタン８４のボタン部８６を、弾性手段であるコイルバネ９０に抗して押圧するだけで、コイルバネ１０６の作用により、係止板部７８を自動的に開放することができるようになっている。
【０１５１】
さらに、この実施例では、図２０〜図２１に示した第１０の実施例と同様に、係止ピン９８に、バンド押圧手段１０２が設けられており、図２３に示したように、矢印Ｇの方向に、バンド押圧手段１０２を係止ピン９８を中心に回動することによって、バンド押圧手段１０２の先端に形成された係止突起１０４によって、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するように構成されている。
【０１５２】
この実施例においても、前述の実施例９と同様に、窓開口部７４が、中留本体２４の摺動枠２８の側壁３２のバンドの長手方向に、プッシュボタン８４の位置とはずれて形成されている。
【０１５３】
なお、図示しないが、係止板部７８のフック部８０、他方のバンド部材１２の端部のフック部９６によって、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するバンド押圧手段を構成することも可能である。
（実施例１２）
図２４は、本発明の装身具の中留構造１０の第１２の実施例の斜視図である。
【０１５４】
この実施例の中留構造１０は、基本的には、上記の第１の実施例の中留構造１０と基本的には、同様な構成であり、同じ構成部材には同じ参照番号を付してその詳細な説明を省略する。
【０１５５】
この実施例の中留構造１０では、窓開口部７４のバンドの長手方向の幅Ｗの中央位置（Ｗ／２の位置）にマーキング１０８が形成されている。
このように構成することによって、窓開口部７４のバンドの長手方向の幅Ｗの中央位置（Ｗ／２の位置）に、一方のバンド部材２６の裏面側に形成された係止用凹部７２、この実施例の場合には、外側駒部材７０の間の間隙から構成される係止用凹部７２が位置して、中留本体２４の摺動枠２８の底板３０の外側駒部材７０に対応する位置に形成した突設係合部６８が、一方のバンド部材２６の裏面側に形成された係止用凹部７２に係合する係合位置にあるか否かを、窓開口部７４のマーキング１０８を介して、装着者が確実かつ容易に確認することができるように構成されている。
【０１５６】
この場合、マーキング１０８としては、特に限定されるものではなく、例えば、印刷、塗装、めっきなどで表面に形成してもよい。また、プレス加工などにより、略三角形状の凹部、または、凸部を形成することによって、マーキング１０８を構成してもよい。さらに、凹部内に有色合成樹脂などを充填して、マーキング１０８を構成してもよい。
【０１５７】
このように構成することによって、外側駒部材７０の間のバンドの長手方向に沿った隙間を、窓開口部７４のバンドの長手方向の幅Ｗの中央位置（Ｗ／２の位置）に位置合わせさせる場合、このような指標が窓開口部７４のバンドの長手方向の幅Ｗの中央位置（Ｗ／２の位置）を指示すれば、ユーザーは位置合わせ作業を容易に行うことができる。
（実施例１３）
図２５は、本発明の装身具の中留構造１０の第１３の実施例の斜視図である。
【０１５８】
この実施例の中留構造１０は、基本的には、上記の第１の実施例の中留構造１０と基本的には、同様な構成であり、同じ構成部材には同じ参照番号を付してその詳細な説明を省略する。
【０１５９】
この実施例の中留構造１０では、複数の窓開口部７４が、外側駒部材７０のバンドの長手方向に沿った隙間を、窓開口部７４のバンドの長手方向の幅Ｗの中央位置（Ｗ／２の位置）に位置合わせするための窓開口部７４と、外側駒部材７０の縁近傍を、窓開口部７４の開口端部に位置合わせするための窓開口部７４とが併設されている。
【０１６０】
なお、このような場合、窓開口部７４の外形形状が互いに異れば、ユーザーは、どの窓開口部７４でどのように位置合わせするかを認識しやすくなる。
以上の実施例では、バンド部材として、外側駒部材７０、中央駒部材７６が、バンドの長手方向に連結されたバンドを用いたが、例えば、プラスチック、ゴムなどのバンドを用いて、その裏面に、係止用凹部溝部、孔部を設けて、これを係止用凹部７２とすることも可能である。
【０１６１】
さらに、上記実施例では、中央駒部材７６が一列のものを示したが、複数の列の中央駒部材７６を有するバンドであっても本願発明を適用することができる。
以上、本発明の好ましい実施の態様を説明したが、本発明はこれに限定されるものではなく、例えば、上記実施例では、本発明の装身具の中留構造を、時計バンド構造の中留構造に適用した実施例を示したが、ブレスレッド等の手首に巻回される装身具、ネックレス等の首に巻回される装身具、ズボンのベルト等の腰に巻回される装身具、バック、鞄などのベルト部などその他の装身具にも適用できるなど本発明の目的を逸脱しない範囲で種々の変更が可能である。
【図面の簡単な説明】
【０１６２】
【図１】図１は、本発明の装身具の中留構造１０の第１の実施例の斜視図である。
【図２】図２は、図１の中留構造１０の一部の分解斜視図である。
【図３】図３は、図１の中留構造１０の開閉動作を説明する断面概略図である。
【図４】図４は、図１の中留構造１０の開閉動作を説明する断面概略図である。
【図５】図５は、図１の中留構造の使用状態を説明する部分拡大断面図である。
【図６】図６は、手首に本発明の装身具の中留構造１０を装着した状態を示す斜視図ある。
【図７】図７は、本発明の装身具の中留構造１０の第１の実施例の開閉動作を説明する断面概略図である。
【図８】図８は、本発明の装身具の中留構造１０の第２の実施例の開閉動作を説明する断面概略図である。
【図９】図９は、図８の中留構造１０の部分平面断面図である。
【図１０】図１０は、本発明の装身具の中留構造１０の第３の実施例の部分平面断面図である。
【図１１】図１１は、本発明の装身具の中留構造１０の第４の実施例の部分平面断面図である。
【図１２】図１２は、本発明の装身具の中留構造１０の第５の実施例の部分平面断面図である。
【図１３】図１３は、本発明の装身具の中留構造１０の第６の実施例の部分平面断面図である。
【図１４】図１４は、本発明の装身具の中留構造１０の第７の実施例の部分平面断面図である。
【図１５】図１５は、本発明の装身具の中留構造１０の第８の実施例の部分平面断面図である。
【図１６】図１６は、本発明の装身具の中留構造１０の第９の実施例の部分斜視図である。
【図１７】図１７は、図１６の装身具の中留構造１０の部分分解斜視図である。
【図１８】図１８は、図１６の装身具の中留構造１０の操作を説明する概略断面図である。
【図１９】図１９は、図１６の装身具の中留構造１０の装着状態を説明する概略図である。
【図２０】図２０は、本発明の装身具の中留構造１０の第１０の実施例の部分斜視図である。
【図２１】図２１は、図２０の装身具の中留構造１０の操作を説明する概略断面図である。
【図２２】図２２は、本発明の装身具の中留構造１０の第１１の実施例の部分斜視図である。
【図２３】図２３は、図２２の装身具の中留構造１０の操作を説明する概略断面図である。
【図２４】図２４は、本発明の装身具の中留構造１０の第１２の実施例の斜視図である。
【図２５】図２５は、本発明の装身具の中留構造１０の第１３の実施例の斜視図である。
【図２６】図２６は、従来の中留構造１０の斜視図である。
【図２７】図２７は、従来の中留構造１０の一部の分解斜視図である。
【図２８】図２８は、従来の中留構造１０の部分拡大斜視図である。
【図２９】図２９は、従来の中留構造１０の開閉動作を説明する断面概略図である。
【図３０】図３０は、従来の中留構造１０の開閉動作を説明する断面概略図である。
【図３１】図３１は、従来の中留構造１０の開閉動作を説明する断面概略図である。
【符号の説明】
【０１６３】
１０   中留構造
１２   他方のバンド部材
１４   ピン
１６   外側連結板
１８   ピン
２０   内側連結板
２２   ピン
２４   中留本体
２６   バンド部材
２８   摺動枠
３０   底板
３２   側壁
３４   押さえ板
３６   支持突起
３８   長孔
４０   ピン
４２   係止板
４４   係止爪
４６   ピン
４８   押圧突起
５０   ストッパーピン
５２   ピン
５４   外壁
５６   押圧突条
５８   係止枠
６０   側板
６２   天板
６４   係止突部
６６   係止用孔
６８   突設係合部
７０   外側駒部材
７２   係止用凹部
７４   窓開口部
７４ａ 開口端
７４ｂ 開口端
７６   中央駒部材
７８   係止板部
８０   フック部
８０ａ 拡径部
８０ｂ テーパー面
８２   プッシュボタン装着開口部
８４   プッシュボタン
８６   ボタン部
８８   基端部
９０   コイルバネ
９１   抜け止め用溝
９２   係合部
９３   係止片
９４   テーパー面
９５   プッシュボタンケース
９６   フック部
９８   係止ピン
１００ 係止ピン
１０２ バンド押圧手段
１０４ 係止突起
１０６ コイルバネ
１０８ マーキング
【図１】
0005215646.tif 000002
【図２】
0005215646.tif 000003
【図３】
0005215646.tif 000004
【図４】
0005215646.tif 000005
【図５】
0005215646.tif 000006
【図６】
0005215646.tif 000007
【図８】
0005215646.tif 000008
【図９】
0005215646.tif 000009
【図１０】
0005215646.tif 000010
【図１１】
0005215646.tif 000011
【図１２】
0005215646.tif 000012
【図１３】
0005215646.tif 000013
【図１４】
0005215646.tif 000014
【図１５】
0005215646.tif 000015
【図１６】
0005215646.tif 000016
【図１７】
0005215646.tif 000017
【図１８】
0005215646.tif 000018
【図１９】
0005215646.tif 000019
【図２０】
0005215646.tif 000020
【図２１】
0005215646.tif 000021
【図２２】
0005215646.tif 000022
【図２３】
0005215646.tif 000023
【図２４】
0005215646.tif 000024
【図２５】
0005215646.tif 000025
【図２９】
0005215646.tif 000026
【図３０】
0005215646.tif 000027
【図３１】
0005215646.tif 000028
【図７】
0005215646.tif 000029
【図２６】
0005215646.tif 000030
【図２７】
0005215646.tif 000031
【図２８】
0005215646.tif 000032